(57)【要約】      （修正有）【課題】細菌の増殖を抑制することのできる抗菌作用を有し、防音効果と保温効果を有し、さらに防水効果があり汚れがつきにくい面積を任意に可変することができる抗菌性マットを提供する。【解決手段】抗菌剤を混練して形成したマット体１４は、周部に連結部を有する複数個のマット部材１，８，８１（ａ），８１（ｂ）に分割形成され、各マット部材を連結することにより所望の大きさとする。【選択図】図４
0003168117.tif 000002
【実用新案登録請求の範囲】
【請求項１】
抗菌剤を混練して形成したマット体は、周部に連結部を有する複数個のマット部材に分割形成され、各マット部材を連結することにより所望の大きさのマット体を形成することを特徴とする抗菌性マット。
【請求項２】
マット体は、全周囲に他のマット部材との嵌合連結用の凹凸部を形成してなる中央部形成用マット部材と、最外周に位置する外側縁部を除く周部に他のマット部材との嵌合連結用の凹凸部を形成してなる側部形成用マット部材とからなることを特徴とする請求項１記載の抗菌性マット。
【請求項３】
中央部形成用マット部材は、他の中央部形成用マット部材の嵌合連結用の凹凸部又は側部形成用マット部材の嵌合連結用の凹凸部に嵌合連結する凹凸部を有することを特徴とする請求項１または請求項２に記載の抗菌性マット。
【請求項４】
側部形成用マット部材は、中央部形成用マット部材の嵌合連結用の凹凸部又は他の側部形成用マット部材の嵌合連結用の凹凸部に嵌合連結する凹凸部を有することを特徴とする請求項１または請求項２に記載の抗菌性マット。
【請求項５】
中央部形成用マット部材は、中央部形成用マット部材側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
中央部形成用マット部材角側部に形成される前記嵌合連結用の凹部の一部形状を成す角側凹部と、隣り合う中央部形成用マット部材角側部に形成される前記嵌合連結用の凸部の一部形状を成す角側凸部と、該角側凹部と角側凸部とに共通の突出部を有する嵌合連結用の角側凹凸部とを有してなることを特徴とする請求項１乃至請求項３のいずれかに記載の抗菌性マット。
【請求項６】
側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向角側部に形成される前記嵌合連結用の凹部の一部形状を成す角側凹部と、前記長手方向一端側の角側部に隣り合う側部形成用マット部材の短手方向角側部または前記短手方向角側部に隣り合う長手方向一端側の角側部に形成される前記嵌合連結用の凸部の一部形状を成す角側凸部と、前記角側凹部と前記角側凸部とに共通の嵌合突出部とを有する嵌合連結用の角側凹凸部とを有してなることを特徴とする請求項１、請求項２または請求項４のいずれかに記載の抗菌性マット。
【請求項７】
マット体コーナー部を形成する側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向一端側の角側部に形成される前記嵌合連結用の凹部の一部形状を成す角側凹部と、前記長手方向一端側の角側部に隣り合う側部形成用マット部材の短手方向角側部または前記短手方向一端側の角側部に隣り合う長手方向一端の角側部に形成される前記嵌合連結用の凸部の一部形状を成す角側凸部と、前記角側凹部と前記角側凸部とに共通の嵌合突出部とを有する嵌合連結用の角側凹凸部とを有し、
前記側部形成用マット部材の短手方向の他端側の側縁部はマット体コーナー部分の終点頂部に向かう斜辺に形成してなることを特徴とする請求項１、請求項２または請求項４のいずれかに記載の抗菌性マット。
【請求項８】
側部形成用マット部材のマット体周縁部を形成する側縁部には、側縁部端部に向かって下傾する傾斜部を形成してなることを特徴とする請求項１乃至請求項７のいずれかに記載の抗菌性マット。
【請求項９】
抗菌剤は無機系抗菌剤又は有機系抗菌剤であることを特徴とする請求項１乃至請求項８のいずれかに記載の抗菌性マット。
【請求項１０】
マット体は、合成樹脂製の弾性材からなることを特徴とする請求項１乃至請求項９のいずれかに記載の抗菌性マット。
【請求項１１】
マット体は、消臭剤を混練して形成することを特徴とする請求項１乃至請求項１０のいずれかに記載の抗菌性マット。
【請求項１２】
マット体表面には、防水剤、消臭剤または抗菌剤の少なくともいずれかでコーティングすることを特徴とする請求項１乃至請求項１１のいずれかに記載の抗菌性マット。
【考案の詳細な説明】
【技術分野】
【０００１】
本考案は、抗菌剤により抗菌作用を有し、複数のマットの凹凸状になっている各凹凸部を互いに嵌合させることにより、大きさを自由に調節することができる、床に向かって傾斜状となる端縁部を設けた抗菌マットに関する。
【背景技術】
【０００２】
従来から、複数のマットの凹凸状になっている各連結部を互いに嵌合させることにより、大きさを自由に調節することができるマットが存在した。例えば、特許文献１に示すジョイントマットの端縁連結部材およびコーナー連結部材は、ジョイントマット片を組み合わせるために当該ジョイントマット片の各連結部を嵌合させる際に、端縁連結部材およびコーナー連結部材の連結部と当該ジョイントマット片の連結部を嵌合させることにより、床に向かって傾斜状となる端縁部が設けられた任意の大きさのマットを形成することができるというものである。また、特許文献２に示す抗菌性マットおよびその製造方法は、抗菌性のマットに関するものではあるが、抗菌剤が混練されたパイルと糸を植糸したカーペットマットに関するものである。
【特許文献１】実用新案登録３０９２５３１号公報
【特許文献２】特開２００７−２１７３００号公報
【考案の概要】
【考案が解決しようとする課題】
【０００３】
上述した特許文献１におけるジョイントマットの端縁連結部材およびコーナー連結部材を用いた場合は、任意の大きさのマットを形成でき、床に向かって傾斜状となる端縁部を設けたマットを形成できる。従って、当該端縁連結部材およびコーナー連結部材をジョイントマット片に組み合わせることにより端縁部を設けたマットには、当該端縁連結部材およびコーナー連結部材がない場合にジョイントマットの連結部が露呈することによる連結部の崩れや、露呈したジョイントマットの連結部へのつまずきを防止したり、意匠上の美感を向上させることができるという利点が存在する。
しかし、当該ジョイントマットには何ら抗菌加工がなされておらず、細菌の増殖を抑制したりすることができないため、例えば、介護施設や乳幼児がいる部屋で用いる場合には、細菌による感染症にかかることにより抵抗力の弱い介護を受ける者や乳幼児の健康に悪影響を与えるおそれがある。また、当該ジョイントマットには防水加工もされていないため、ジョイントマット上に何かこぼした場合に、こぼしたものを吸収してしまうことから、介護施設や乳幼児がいる部屋でジョイントマットを用いる場合に失禁等があった場合に不衛生となったり、日常生活において掃除がしにくく、汚れがシミになってしまうことが考えられる。さらに、ジョイントマットの材質によっては、ジョイントマット上で歩き回った場合などに足音などが吸収されずに階下にそのまま伝わってしまったり、ジョイントマットに保温効果がないため、マットに直接触れる足元が冷えるなどの問題がある。
【０００４】
本考案は、マットの中央部形成用マット部材と、側部形成用マット部材を嵌合させることにより、床に向かって傾斜状となる端縁部を有することで、露呈した凹凸部へのつまずきを防止することができる任意の大きさのマットを自由に形成することができるものであり、さらにマットに含まれた抗菌剤により、細菌の増殖を抑制することのできる抗菌作用を有し、マットが合成樹脂製の弾性材であるEVA樹脂でできていることにより、防音効果や保温効果があり、さらに防水効果を有し汚れがつきにくい抗菌性マットを提供することを特徴とする。
【課題を解決するための手段】
【０００５】
本考案の抗菌性マットは、抗菌剤を混練して形成したマット体は、周部に連結部を有する複数個のマット部材に分割形成され、各マット部材を連結することにより所望の大きさのマット体を形成することを特徴とする。
【０００６】
マット体は、全周囲に他のマット部材との嵌合連結用の凹凸部を形成してなる中央部形成用マット部材と、最外周に位置する外側縁部を除く周部に他のマット部材との嵌合連結用の凹凸部を形成してなる側部形成用マット部材とからなることを特徴とする。
【０００７】
中央部形成用マット部材は、他の中央部形成用マット部材の嵌合連結用の凹凸部又は側部形成用マット部材の嵌合連結用の凹凸部に嵌合連結する凹凸部を有することを特徴とする。
【０００８】
側部形成用マット部材は、中央部形成用マット部材の嵌合連結用の凹凸部又は他の側部形成用マット部材の嵌合連結用の凹凸部に嵌合連結する凹凸部を有することを特徴とする。
【０００９】
中央部形成用マット部材は、中央部形成用マット部材側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
中央部形成用マット部材角側部に形成される前記嵌合連結用の凹部の一部形状を成す角側凹部と、隣り合う中央部形成用マット部材角側部に形成される前記嵌合連結用の凸部の一部形状を成す角側凸部と、該角側凹部と角側凸部とに共通の突出部を有する嵌合連結用の角側凹凸部とを有してなることを特徴とする。
【００１０】
側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向角側部に形成される前記嵌合連結用の凹部の一部形状を成す角側凹部と、前記長手方向一端側の角側部に隣り合う側部形成用マット部材の短手方向角側部または前記短手方向角側部に隣り合う長手方向一端側の角側部に形成される前記嵌合連結用の凸部の一部形状を成す角側凸部と、前記角側凹部と前記角側凸部とに共通の嵌合突出部とを有する嵌合連結用の角側凹凸部とを有してなることを特徴とする
【００１１】
マット体コーナー部を形成する側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向一端側の角側部に形成される前記嵌合連結用の凹部の一部形状を成す角側凹部と、前記長手方向一端側の角側部に隣り合う側部形成用マット部材の短手方向角側部または前記短手方向一端側の角側部に隣り合う長手方向一端の角側部に形成される前記嵌合連結用の凸部の一部形状を成す角側凸部と、前記角側凹部と前記角側凸部とに共通の嵌合突出部とを有する嵌合連結用の角側凹凸部とを有し、
前記側部形成用マット部材の短手方向の他端側の側縁部はマット体コーナー部分の終点頂部に向かう斜辺に形成してなることを特徴とする。
【００１２】
側部形成用マット部材のマット体周縁部を形成する側縁部には、側縁部端部に向かって下傾する傾斜部を形成してなることを特徴とする。
【００１３】
抗菌剤は無機系抗菌剤又は有機系抗菌剤であることを特徴とする。
【００１４】
マット体は、合成樹脂製の弾性材からなることを特徴とする。
【００１５】
マット体は、消臭剤を混練して形成することを特徴とする。
【００１６】
マット体表面には、防水剤、消臭剤または抗菌剤の少なくともいずれかをコーティングすることを特徴とする。
【考案の効果】
【００１７】
抗菌剤を混練して形成したマット体は、周部に連結部を有する複数個のマット部材に分割形成され、各マット部材を連結することにより所望の大きさのマット体を形成することにより、任意の大きさのマットを自由に形成できる。さらにマットに混練された抗菌剤により、当該マットは細菌の増殖を抑制することのできる抗菌作用を有しているため、介護施設や乳幼児がいる部屋でマットを用いる場合には、抵抗力の弱い介護を受ける者や乳幼児の、細菌による感染症罹患の可能性を低下させることができる点で、介護を受ける者や乳幼児の健康を守ることなどができる。
【００１８】
マット体は、全周囲に他のマット部材との嵌合連結用の凹凸部を形成してなる中央部形成用マット部材と、最外周に位置する外側縁部を除く周部に他のマット部材との嵌合連結用の凹凸部を形成してなる側部形成用マット部材とからなることにより、当該中央部形成用マット部材と側部形成用マット部材の凹凸部を互いに嵌合させることで、任意の大きさのマットを自由に作成することができ、各マット部材同士をしっかりと嵌合固定することができる。
【００１９】
中央部形成用マット部材は、他の中央部形成用マット部材の嵌合連結用の凹凸部又は側部形成用マット部材の嵌合連結用の凹凸部に嵌合連結する凹凸部を有することにより、任意の大きさのマットを自由に作成することができ、中央部形成用マット部材と他のマット部材とを、しっかりと嵌合固定することができる。
【００２０】
側部形成用マット部材は、中央部形成用マット部材の嵌合連結用の凹凸部又は他の側部形成用マット部材の嵌合連結用の凹凸部に嵌合連結する凹凸部を有することにより、任意の大きさのマットを自由に作成することができ、側部形成用マット部材と他のマット部材とを、しっかりと嵌合固定することができる。
【００２１】
中央部形成用マット部材は、中央部形成用マット部材側縁部に形成される底部が開口部より幅広である嵌合連結用凹部と先端部が基部より幅広の嵌合連結用凸部とが略等間隔で交互に形成されてなる嵌合連結用の凹凸部と、中央部形成用マット部材角側部に形成される前記嵌合連結用の凹部の一部形状を成す角側凹部と、隣り合う中央部形成用マット部材角側部に形成される前記嵌合連結用の凸部の一部形状を成す角側凸部と、該角側凹部と角側凸部とに共通の突出部を有する嵌合連結用の角側凹凸部とを有してなり、また、側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、前記側部形成用マット部材の長手方向一端側の角側部または短手方向角側部に形成される前記嵌合連結用の凹部の一部形状を成す角側凹部と、前記長手方向一端側の角側部に隣り合う側部形成用マット部材の短手方向角側部または前記短手方向角側部に隣り合う長手方向一端側の角側部に形成される前記嵌合連結用の凸部の一部形状を成す角側凸部と、前記角側凹部と前記角側凸部とに共通の嵌合突出部とを有する嵌合連結用の角側凹凸部とを有してなり、マット体コーナー部を形成する側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向一端側の角側部に形成される前記嵌合連結用の凹部の一部形状を成す角側凹部と、前記長手方向一端側の角側部に隣り合う側部形成用マット部材の短手方向角側部または前記短手方向一端側の角側部に隣り合う長手方向一端の角側部に形成される前記嵌合連結用の凸部の一部形状を成す角側凸部と、前記角側凹部と前記角側凸部とに共通の嵌合突出部とを有する嵌合連結用の角側凹凸部とを有し、前記側部形成用マット部材の短手方向の他端側の側縁部はマット体コーナー部分の終点頂部に向かう斜辺に形成してなることにより、これらのマット部材を用いて任意の大きさの矩形マットを自由に作成することができ、各マット部材をしっかりと嵌合固定することができる。
【００２２】
側部形成用マット部材のマット体周縁部を形成する側縁部には、側縁部端部に向かって下傾する傾斜部を形成してなることにより、マット体周縁部の段差でつまづくことがなく安全なマットを提供することができる。
【００２３】
抗菌剤は無機系抗菌剤又は有機系抗菌剤であることにより、マットに当該抗菌剤を使用して抗菌性マットを製造することで、細菌の増殖を抑制し、大腸菌や黄色ブドウ球菌や溶連菌などから発生する感染症防止などに役立つ衛生的な抗菌性マットを提供できる。ここで無機系抗菌剤には、銀や銅などの金属イオンの、細菌の発育や増殖を抑制する作用である静菌作用を利用したものがあげられる。また、有機系抗菌剤としては、化学合成した有機化合物を利用した合成系抗菌剤と、天然物質を利用した天然系抗菌剤があげられる。前者の合成系抗菌剤にはエタノールや塩化ベンゼトニウムを利用した抗菌剤などがある。また、後者の天然系抗菌剤としては、アミノ酸誘導体を利用した抗菌剤や、黄色ブドウ球菌などに抗菌作用を有するユーカリの葉の抽出物や大腸菌などに抗菌作用を有するカニの殻を原料とするキトサンを利用した抗菌剤などがあげられる。よって、例えば、介護施設や乳幼児がいる部屋で、当該天然系抗菌剤を使用したマットを用いた場合には、抵抗力の弱い介護を受ける者や乳幼児が触れても身体に害がなく、健康に役立たせることができるばかりでなく、誤って乳幼児などがマットを口にした場合なども身体に安全であるという利点がある。
【００２４】
マットは、合成樹脂製の弾性材からなることにより、マット上で幼児や介護を受ける者が転倒しても頭部や身体を保護することができる。また、例えばEVA樹脂等合成樹脂弾性材を用いれば、マットの上で幼児が歩き回ったりした場合であっても弾性材が足音等を吸収することから、防音効果のあるマットを提供することができる。さらに、マットの保温効果により、冬に素足でマットの上を歩き回っても足の裏に冷たさを感じさせないなどの利点がある。また、防水効果、汚れがつきにくい効果を発揮し、当該マット上に何かこぼした場合でも、マットが水分をはじくことから掃除が容易であり、例えば介護施設や乳幼児がいる部屋で当該マットを用いた場合は、失禁等があっても尿などがマットに染み込みにくいことから拭き取りやすく、衛生的である。
【００２５】
マットは、消臭剤を混練して形成することにより、抗菌作用だけでなく消臭効果も有する抗菌性マットを提供できる。よって、例えば介護施設や乳幼児がいる部屋で当該マットを用いた場合で失禁等があった場合、上記に述べたマットの防水効果により尿などが拭き取りやすいだけでなく、マットについた尿のにおいも除去することができる。
【００２６】
マットは、防水剤、消臭剤、抗菌剤をコーティングをすることにより、上記で述べたようなマットの防水効果や消臭効果や抗菌効果を一層高めることができる。
【図面の簡単な説明】
【００２７】
【図１】本考案の中央部形成用マット部材の斜視図である。
【図２】本考案の側部形成用マット部材の１つの形態を示す斜視図である。
【図３】本考案のマット体コーナー部を形成する側部形成用マット部材の２つの形態を示す斜視図である。
【図４】本考案の中央部形成用マット部材と側部形成用マット部材とを嵌合して抗菌性マットを形成した状態を示す平面図である。
【考案を実施するための形態】
【００２８】
本考案の抗菌性マットについて、以下図を参照しながら説明する。図１は、本考案の抗菌性マット１４を形成する中央部形成用マット部材の斜視図である。図２は、抗菌性マット１４の周部を形成する側部形成用マット部材８を示す斜視図である。図３は、側部形成用マット部材のうちマット体コーナー部を形成する側部形成用マット部材を示す斜視図であり、図中（a）は、一方のコーナー部を形成する側部形成用マット部材８１（a）を示す斜視図、図(b)は、側部形成用マット部材８１(a)と対になる側部形成用マット部材８１(b)を示す斜視図であり、マット部材８１(a)と(b)は対称に形成されている。図４は、本考案に係る中央部形成用マット部材１と各側部形成用マット部材８，８１を組み合わせた抗菌性マット１４の組み立て例を示す平面図である。
【００２９】
この抗菌性マット１４は、主として室内の床の一部や全部に敷設して用い、中央部形成用マット部材１、側部形成用マット部材８と側部形成用マット部材８１(a)(b)の各パーツを選択し、これらを組み合わせることで任意の面積の抗菌性マット１４を形成するようになっている。抗菌性マット１４は、抗菌剤が混練されてなる弾性のある合成樹脂材を平板マット状に形成し、抗菌性を持たせたものである。尚、抗菌性マット１４を合成樹脂材内方に微細な気泡部を有するスポンジ板状に形成すれば、これが緩衝材として機能し、乳幼児や老人等が抗菌性マット１４上で転倒した場合にも身体の打撲等を防ぐことができる。
【００３０】
図１に示す中央部形成用マット部材１は、抗菌剤が混練されてなる弾性合成樹脂材が平板マット状に形成されているものである。中央部形成用マット部材１は、略正方形状のマット部材本体７からなりマット部材本体７の周囲四側縁部には、他の中央部形成用マット部材１または他の側部形成用マット部材１，８または１２に形成の凹凸嵌合部２と嵌合して連結される嵌合連結用凹部３と嵌合連結用凸部４とからなる凹凸嵌合部２が形成されている。
【００３１】
中央部形成用マット部材１の角側部を除く側縁部に形成される凹凸嵌合部２は、凹部底部３bが開口部３aより幅広に形成される嵌合連結用凹部３と凸部先端部４aが基部４bより幅広の嵌合連結用凸部４とからなり、嵌合連結用凹部３と嵌合連結用凸部４とが略等間隔で交互に形成されている。したがって、図４に示すように、隣り合うマット部材１，８または１２の対向する嵌合連結用凹部３と嵌合連結用凸部４とが楔状に嵌合連結され、嵌合連結した状態で水平方向に引き合ってもマット部材同士の連結状態が外れないようになっている。
【００３２】
また、中央部形成用マット部材１の角側部に形成される凹凸嵌合部２１は、嵌合連結用凹部３の一部形状を成す角側凹部５と、隣り合う角側部に形成される嵌合連結用凸部４の一部形状を成す角側凸部６からなり、角側凸部６の側部には、角側凹部に向かって突出する山形の突出部６１が形成されている。この突出部６１は、角側凸部の長さに対応する幅Jの底部を成す二等辺三角形状に形成され、図４に示すように、隣り合うマット部材１または１２の凹凸嵌合部２１と嵌合連結されるようになっている。
【００３３】
図２に示す側部形成用マット部材８は、マット体コーナー部以外の周縁部を形成するマット部材であり、抗菌剤が混練されてなる弾性合成樹脂材が平板マット状に形成されているものである。側部形成用マット部材８は、長手方向Ｌ１、短手方向Ｌ２の略長方形状のマット部材本体７１からなり、マット部材本体７１の角側部を除き、長手方向の一端側縁部１０には、凹部底部３bが開口部３aより幅広に形成される嵌合連結用凹部３と凸部先端部４aが基部４bより幅広の嵌合連結用凸部４とからなり、嵌合連結用凹部３と嵌合連結用凸部４が略等間隔に交互に形成されてなる嵌合連結用凹凸部２が形成され、短手方向の一端側縁部には嵌合連結用凹部３、他端側縁部には嵌合連結用凸部４が形成されている。したがって、図４に示すように、隣り合うマット部材１，８または１２の対向する嵌合連結用凹部３と嵌合連結用凸部４とは楔状に嵌合連結され、嵌合連結した状態で水平方向に引き合ってもマット部材同士の連結状態が外れないようになっている。
【００３４】
また、側部形成用マット部材本体７１の長手方向一端側の角側部または短手方向角側部に形成される凹凸嵌合部２１は、嵌合連結用凹部３の一部形状を成す角側凹部５と、隣り合う角側部に形成される嵌合連結用凸部４の一部形状を成す角側凸部６からなり、角側凸部６の側部には、角側凹部に向かって突出する山形の突出部６１が形成されている。この突出部６１は、角側凸部の長さに対応する幅Jの底部を成す二等辺三角形状に形成され、図４に示すように、隣り合うマット部材１，８または１２の凹凸嵌合部２１と嵌合連結されるようになっている。
【００３５】
また、側部形成用マット部材本体７１の長手方向他端側縁部１１すなわち連結状態において抗菌性マット１４の外周部を形成する側縁部にはその端部に向かって下傾する傾斜面９が形成されており、抗菌性マット１４の敷設状態において抗菌性マット１４の外周部はぴったりと床面に当接し、歩行者等が躓かないようになっている。尚、本実施の形態の側部形成用マット部材８において、傾斜面９は、短手方向の幅Ｌ２の１／７程度の幅で形成されているがその幅と角度はこれに限られるものではない。
【００３６】
図３に示すマット体コーナー部分を形成する一対の側部形成用マット部材８１(ａ)(b)は、マット体コーナー部を形成するマット部材であり、抗菌剤が混練されてなる弾性合成樹脂材が平板マット状に形成されているものである。一方のコーナーを形成する側部形成用マット部材８１(a)は、長手方向Ｌ１、短手方向Ｌ２の略長方形状のマット部材本体７２からなり、マット部材本体７１の角側部を除く長手方向の一端側縁部１０には、凹部底部３bが開口部３aより幅広に形成される嵌合連結用凹部３と凸部先端部４aが基部４bより幅広の嵌合連結用凸部４とが略等間隔に交互に形成されてなる嵌合連結用凹凸部２が形成され、短手方向の一端側縁部には嵌合連結用凹部３、他端側縁部には嵌合連結用凸部４が成されている。したがって、図４に示すように、隣り合うマット部材１，８または１２の対向する嵌合連結用凹部３と嵌合連結用凸部４とは楔状に嵌合連結され、嵌合連結した状態で水平方向に引き合ってもマット部材同士の連結状態が外れないようになっている。
【００３７】
前記側部形成用マット部材の長手方向一端側角側部または短手方向の一端側角側部に形成される凹凸嵌合部２１は、嵌合連結用凹部３の一部形状を成す角側凹部５と、隣り合う角側部に形成される嵌合連結用凸部４の一部形状を成す角側凸部６からなり、角側凸部６の側部には、角側凹部に向かって突出する山形の突出部６１が形成されている。この突出部６１は、角側凸部の長さに対応する幅Jの底部を成す二等辺三角形状に形成され、図４に示すように、隣り合うマット部材１，８または８１の凹凸嵌合部２１と嵌合連結されるようになっている。
【００３８】
側部形成用マット部材８１（ａ）の短手方向の他端側縁部１３(ａ)は長手方向頂部Ｐ１からマット体コーナー部分の終点頂部Ｐ２に向かい斜めに切り欠かれ角度θを有する斜辺に形成されている。抗菌性マット１においては、対になる側部形成用マット部材８１(ｂ)と嵌合連結したときに、マット体コーナー部分が直角を成すよう他端側縁部１３（ａ）の傾斜角は４５度である。
【００３９】
また、側部形成用マット部材本体７２(ａ)の長手方向他端側縁部１１すなわち連結状態において抗菌性マット１４の外周部を形成する側縁部にはその端部に向かって下傾する傾斜面９が形成されており、抗菌性マット１４の敷設状態において抗菌性マット１４の外周部はぴったりと床面に当接し、歩行者が躓かないようになっている
【００４０】
図３(ｂ)に示す、他方のコーナーを形成する側部形成用マット部材８１(ｂ)は、上述した、側部形成用マット部材８１(ａ)と嵌合連結されるように、側部形成用マット部材８１(ａ)と対称に形成されている。各部分の詳細な形状は、上述した側部形成用マット部材(ａ)と同様であるためその説明を省略する。
【００４１】
中央部形成用マット部材１、側部形成用マット部材８，８１（ａ）（ｂ）の上面すなわちマット敷接状態において歩行面を成す面に、格子状やその他形状の凹凸加工、粗面加工等を施しての滑り止め部１５を形成してもよい。
【００４２】
図４に示すように、抗菌性マット１４は中央部形成用マット部材１と側部形成用マット部材８と側部形成用マット部材８１（ａ）(ｂ)を組み合わせて任意の大きさに形成する。なお、中央部形成用マット部材１と側部形成用マット部材８と側部形成用マット部材８１(ａ)(ｂ)は、それぞれ対向する凹部３と凸部４と、またマット部材が十字状に合わさる角側部においては突出部６１とこれに対応する切り欠き部がそれぞれ嵌合されて連結されている。
【００４３】
尚、上述した抗菌性マット１４においては、凹部と凸部からなる嵌合連結部により各マット部材を連結する例を示したが、各マット部材の連結手段はこれに限られるものではなく、各マット部材に設けた連結孔に連結部材を架橋して連結するようにしてもよい。また、凹部と凸部の形状も上述した形状に限られるものではない。
【００４４】
本考案に係る抗菌性マットに用いられる好適な合成樹脂材は、弾性を有するＥＶＡ樹脂であり、このＥＶＡ樹脂に抗菌剤が混練されている。その製造過程を示せば、ＥＶＡ樹脂原料と粉体、粒体、または液体の抗菌剤を混練し、これを板状に伸ばしたものを型内で熱と圧力をかけ発泡成形してマットの原型を作る。さらに、この原型を抜型により抜くことで、中央部形成用マット部材１や側部形成用マット部材８，８１(ａ)（ｂ）を形成する。尚、成形型内表面に細かな凹凸を形成しておけば、この凹凸により滑り止め部１５が形成される。尚、合成樹脂材は、ＥＶＡ樹脂に限られるものではなく、ポリウレタン樹脂、ＰＥＴ樹脂等様々な樹脂が挙げられる。また、その成形方法も上述の発泡成形に限られるものではなく、たとえば、あらかじめスポンジ状に形成された合成樹脂材を裁断して形成してもよい。
【００４５】
また、抗菌剤の種類は様々なものが挙げられるが、主として抗菌剤は無機系抗菌剤又は有機系抗菌剤とに大別される。ここで無機系抗菌剤には、銀や銅などの金属イオンの、細菌の発育や増殖を抑制する作用である静菌作用を利用したものがあげられる。また、有機系抗菌剤としては、化学合成した有機化合物を利用した合成系抗菌剤と、天然物質を利用した天然系抗菌剤があげられる。前者の合成系抗菌剤にはエタノールや塩化ベンゼトニウムを利用した抗菌剤などがある。また、後者の天然系抗菌剤としては、アミノ酸誘導体を利用した抗菌剤や、黄色ブドウ球菌などに抗菌作用を有するユーカリの葉の抽出物や大腸菌などに抗菌作用を有するカニの殻を原料とするキトサンを利用した抗菌剤などがあげられる。マット部材に当該抗菌剤を使用して抗菌性マットを製造することで、細菌の増殖を抑制し、大腸菌や黄色ブドウ球菌や溶連菌などから発生する感染症防止などに役立つ衛生的な抗菌性マットを提供できる。また、有機系抗菌剤を混練した場合には、乳幼児が舐めたりした場合にも身体に害を与えるおそれがない。
【００４６】
また、抗菌性マット１４の表面または側面には、上述した抗菌剤、または消臭剤、さらには防水剤の溶液を塗布または吹き付けてコーティング加工を施してもよい。
【００４７】
このように形成されてなる抗菌性マット１４は、高い衛生状態を保つことができ、かつ、乳幼児や老人等の使用者がマット上を歩行または四つ足歩行した場合にも高い安全性を確保することができる。
【符号の説明】
【００４８】
１    中央部形成用マット部材
２    嵌合用連結用凹凸部
３    嵌合用連結用凹部
３a   開口部
３b   凹部底部
４    嵌合用連結用凸部
４a   凸部先端部
４b   基部
５    角側凹部
６    角側凸部
６１  突出部
７    マット部材本体
７１  マット部材本体
７２  マット部材本体
８    側部形成用マット部材
８１  側部形成用マット部材
９    傾斜面
１０  長手方向一端部
１１  長手方向他端部
１３  斜辺
１４  抗菌性マット
１５  滑り止め部
【図１】
0003168117.tif 000003
【図２】
0003168117.tif 000004
【図３】
0003168117.tif 000005
【図４】
0003168117.tif 000006
【手続補正書】
【提出日】平成23年4月6日(2011.4.6)
【手続補正１】
【補正対象書類名】明細書
【補正対象項目名】全文
【補正方法】変更
【補正の内容】
【考案の詳細な説明】
【技術分野】
【０００１】
本考案は、抗菌剤により抗菌作用を有し、複数のマットの凹凸状になっている各凹凸部を互いに嵌合させることにより、大きさを自由に調節することができる、床に向かって傾斜状となる端縁部を設けた抗菌マットに関する。
【背景技術】
【０００２】
従来から、複数のマットの凹凸状になっている各連結部を互いに嵌合させることにより、大きさを自由に調節することができるマットが存在した。例えば、特許文献１に示すジョイントマットの端縁連結部材およびコーナー連結部材は、ジョイントマット片を組み合わせるために当該ジョイントマット片の各連結部を嵌合させる際に、端縁連結部材およびコーナー連結部材の連結部と当該ジョイントマット片の連結部を嵌合させることにより、床に向かって傾斜状となる端縁部が設けられた任意の大きさのマットを形成することができるというものである。また、特許文献２に示す抗菌性マットおよびその製造方法は、抗菌性のマットに関するものではあるが、抗菌剤が混練されたパイルと糸を植糸したカーペットマットに関するものである。
【特許文献１】実用新案登録３０９２５３１号公報
【特許文献２】特開２００７−２１７３００号公報
【考案の概要】
【考案が解決しようとする課題】
【０００３】
上述した特許文献１におけるジョイントマットの端縁連結部材およびコーナー連結部材を用いた場合は、任意の大きさのマットを形成でき、床に向かって傾斜状となる端縁部を設けたマットを形成できる。従って、当該端縁連結部材およびコーナー連結部材をジョイントマット片に組み合わせることにより端縁部を設けたマットには、当該端縁連結部材およびコーナー連結部材がない場合にジョイントマットの連結部が露呈することによる連結部の崩れや、露呈したジョイントマットの連結部へのつまずきを防止したり、意匠上の美感を向上させることができるという利点が存在する。
しかし、当該ジョイントマットには何ら抗菌加工がなされておらず、細菌の増殖を抑制したりすることができないため、例えば、介護施設や乳幼児がいる部屋で用いる場合には、細菌による感染症にかかることにより抵抗力の弱い介護を受ける者や乳幼児の健康に悪影響を与えるおそれがある。また、当該ジョイントマットには防水加工もされていないため、ジョイントマット上に何かこぼした場合に、こぼしたものを吸収してしまうことから、介護施設や乳幼児がいる部屋でジョイントマットを用いる場合に失禁等があった場合に不衛生となったり、日常生活において掃除がしにくく、汚れがシミになってしまうことが考えられる。さらに、ジョイントマットの材質によっては、ジョイントマット上で歩き回った場合などに足音などが吸収されずに階下にそのまま伝わってしまったり、ジョイントマットに保温効果がないため、マットに直接触れる足元が冷えるなどの問題がある。
【０００４】
本考案は、マットの中央部形成用マット部材と、側部形成用マット部材を嵌合させることにより、床に向かって傾斜状となる端縁部を有することで、露呈した凹凸部へのつまずきを防止することができる任意の大きさのマットを自由に形成することができるものであり、さらにマットに含まれた抗菌剤により、細菌の増殖を抑制することのできる抗菌作用を有し、マットが合成樹脂製の弾性材であるEVA樹脂でできていることにより、防音効果や保温効果があり、さらに防水効果を有し汚れがつきにくい抗菌性マットを提供することを特徴とする。
【課題を解決するための手段】
【０００５】
本考案の抗菌性マットは、抗菌剤を混練して形成したマット体は、周部に連結部を有する複数個のマット部材に分割形成され、各マット部材を連結することにより所望の大きさのマット体を形成することを特徴とする。
【０００６】
マット体は、全周囲に他のマット部材との嵌合連結用の凹凸部を形成してなる中央部形成用マット部材と、最外周に位置する外側縁部を除く周部に他のマット部材との嵌合連結用の凹凸部を形成してなる側部形成用マット部材とからなることを特徴とする。
【０００７】
中央部形成用マット部材は、他の中央部形成用マット部材の嵌合連結用の凹凸部又は側部形成用マット部材の嵌合連結用の凹凸部に嵌合連結する凹凸部を有することを特徴とする。
【０００８】
側部形成用マット部材は、中央部形成用マット部材の嵌合連結用の凹凸部又は他の側部形成用マット部材の嵌合連結用の凹凸部に嵌合連結する凹凸部を有することを特徴とする。
【０００９】
中央部形成用マット部材は、中央部形成用マット部材側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
中央部形成用マット部材角側部に形成される前記嵌合連結用の凹部の一部形状を成す角側凹部と、隣り合う中央部形成用マット部材角側部に形成される前記嵌合連結用の凸部の一部形状を成す角側凸部と、該角側凹部と角側凸部とに共通の突出部を有する嵌合連結用の角側凹凸部とを有してなることを特徴とする。
【００１０】
側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向角側部に形成される前記嵌合連結用の凹部の一部形状を成す角側凹部と、前記長手方向一端側の角側部に隣り合う側部形成用マット部材の短手方向角側部または前記短手方向角側部に隣り合う長手方向一端側の角側部に形成される前記嵌合連結用の凸部の一部形状を成す角側凸部と、前記角側凹部と前記角側凸部とに共通の嵌合突出部とを有する嵌合連結用の角側凹凸部とを有してなることを特徴とする
【００１１】
マット体コーナー部を形成する側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向一端側の角側部に形成される前記嵌合連結用の凹部の一部形状を成す角側凹部と、前記長手方向一端側の角側部に隣り合う側部形成用マット部材の短手方向角側部または前記短手方向一端側の角側部に隣り合う長手方向一端の角側部に形成される前記嵌合連結用の凸部の一部形状を成す角側凸部と、前記角側凹部と前記角側凸部とに共通の嵌合突出部とを有する嵌合連結用の角側凹凸部とを有し、
前記側部形成用マット部材の短手方向の他端側の側縁部はマット体コーナー部分の終点頂部に向かう斜辺に形成してなることを特徴とする。
【００１２】
側部形成用マット部材のマット体周縁部を形成する側縁部には、側縁部端部に向かって下傾する傾斜部を形成してなることを特徴とする。
【００１３】
抗菌剤は無機系抗菌剤又は有機系抗菌剤であることを特徴とする。
【００１４】
マット体は、合成樹脂製の弾性材からなることを特徴とする。
【００１５】
マット体は、消臭剤を混練して形成することを特徴とする。
【００１６】
マット体表面には、防水剤、消臭剤または抗菌剤の少なくともいずれかをコーティングすることを特徴とする。
【考案の効果】
【００１７】
抗菌剤を混練して形成したマット体は、周部に連結部を有する複数個のマット部材に分割形成され、各マット部材を連結することにより所望の大きさのマット体を形成することにより、任意の大きさのマットを自由に形成できる。さらにマットに混練された抗菌剤により、当該マットは細菌の増殖を抑制することのできる抗菌作用を有しているため、介護施設や乳幼児がいる部屋でマットを用いる場合には、抵抗力の弱い介護を受ける者や乳幼児の、細菌による感染症罹患の可能性を低下させることができる点で、介護を受ける者や乳幼児の健康を守ることなどができる。
【００１８】
マット体は、全周囲に他のマット部材との嵌合連結用の凹凸部を形成してなる中央部形成用マット部材と、最外周に位置する外側縁部を除く周部に他のマット部材との嵌合連結用の凹凸部を形成してなる側部形成用マット部材とからなることにより、当該中央部形成用マット部材と側部形成用マット部材の凹凸部を互いに嵌合させることで、任意の大きさのマットを自由に作成することができ、各マット部材同士をしっかりと嵌合固定することができる。
【００１９】
中央部形成用マット部材は、他の中央部形成用マット部材の嵌合連結用の凹凸部又は側部形成用マット部材の嵌合連結用の凹凸部に嵌合連結する凹凸部を有することにより、任意の大きさのマットを自由に作成することができ、中央部形成用マット部材と他のマット部材とを、しっかりと嵌合固定することができる。
【００２０】
側部形成用マット部材は、中央部形成用マット部材の嵌合連結用の凹凸部又は他の側部形成用マット部材の嵌合連結用の凹凸部に嵌合連結する凹凸部を有することにより、任意の大きさのマットを自由に作成することができ、側部形成用マット部材と他のマット部材とを、しっかりと嵌合固定することができる。
【００２１】
中央部形成用マット部材は、中央部形成用マット部材側縁部に形成される底部が開口部より幅広である嵌合連結用凹部と先端部が基部より幅広の嵌合連結用凸部とが略等間隔で交互に形成されてなる嵌合連結用の凹凸部と、中央部形成用マット部材角側部に形成される前記嵌合連結用の凹部の一部形状を成す角側凹部と、隣り合う中央部形成用マット部材角側部に形成される前記嵌合連結用の凸部の一部形状を成す角側凸部と、該角側凹部と角側凸部とに共通の突出部を有する嵌合連結用の角側凹凸部とを有してなり、また、側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、前記側部形成用マット部材の長手方向一端側の角側部または短手方向角側部に形成される前記嵌合連結用の凹部の一部形状を成す角側凹部と、前記長手方向一端側の角側部に隣り合う側部形成用マット部材の短手方向角側部または前記短手方向角側部に隣り合う長手方向一端側の角側部に形成される前記嵌合連結用の凸部の一部形状を成す角側凸部と、前記角側凹部と前記角側凸部とに共通の嵌合突出部とを有する嵌合連結用の角側凹凸部とを有してなり、マット体コーナー部を形成する側部形成用マット部材は、該側部形成用マット部材の長手方向一端側の側縁部および短手方向側縁部に形成される凹部底部が開口部より幅広である嵌合連結用凹部と凸部先端部が基部より幅広の嵌合連結用凸部とが略等間隔で交互に形成されてなる嵌合連結用の凹凸部と、
前記側部形成用マット部材の長手方向一端側の角側部または短手方向一端側の角側部に形成される前記嵌合連結用の凹部の一部形状を成す角側凹部と、前記長手方向一端側の角側部に隣り合う側部形成用マット部材の短手方向角側部または前記短手方向一端側の角側部に隣り合う長手方向一端の角側部に形成される前記嵌合連結用の凸部の一部形状を成す角側凸部と、前記角側凹部と前記角側凸部とに共通の嵌合突出部とを有する嵌合連結用の角側凹凸部とを有し、前記側部形成用マット部材の短手方向の他端側の側縁部はマット体コーナー部分の終点頂部に向かう斜辺に形成してなることにより、これらのマット部材を用いて任意の大きさの矩形マットを自由に作成することができ、各マット部材をしっかりと嵌合固定することができる。
【００２２】
側部形成用マット部材のマット体周縁部を形成する側縁部には、側縁部端部に向かって下傾する傾斜部を形成してなることにより、マット体周縁部の段差でつまづくことがなく安全なマットを提供することができる。
【００２３】
抗菌剤は無機系抗菌剤又は有機系抗菌剤であることにより、マットに当該抗菌剤を使用して抗菌性マットを製造することで、細菌の増殖を抑制し、大腸菌や黄色ブドウ球菌や溶連菌などから発生する感染症防止などに役立つ衛生的な抗菌性マットを提供できる。ここで無機系抗菌剤には、銀や銅などの金属イオンの、細菌の発育や増殖を抑制する作用である静菌作用を利用したものがあげられる。また、有機系抗菌剤としては、化学合成した有機化合物を利用した合成系抗菌剤と、天然物質を利用した天然系抗菌剤があげられる。前者の合成系抗菌剤にはエタノールや塩化ベンゼトニウムを利用した抗菌剤などがある。また、後者の天然系抗菌剤としては、アミノ酸誘導体を利用した抗菌剤や、黄色ブドウ球菌などに抗菌作用を有するユーカリの葉の抽出物や大腸菌などに抗菌作用を有するカニの殻を原料とするキトサンを利用した抗菌剤などがあげられる。よって、例えば、介護施設や乳幼児がいる部屋で、当該天然系抗菌剤を使用したマットを用いた場合には、抵抗力の弱い介護を受ける者や乳幼児が触れても身体に害がなく、健康に役立たせることができるばかりでなく、誤って乳幼児などがマットを口にした場合なども身体に安全であるという利点がある。
【００２４】
マットは、合成樹脂製の弾性材からなることにより、マット上で幼児や介護を受ける者が転倒しても頭部や身体を保護することができる。また、例えばEVA樹脂等合成樹脂弾性材を用いれば、マットの上で幼児が歩き回ったりした場合であっても弾性材が足音等を吸収することから、防音効果のあるマットを提供することができる。さらに、マットの保温効果により、冬に素足でマットの上を歩き回っても足の裏に冷たさを感じさせないなどの利点がある。また、防水効果、汚れがつきにくい効果を発揮し、当該マット上に何かこぼした場合でも、マットが水分をはじくことから掃除が容易であり、例えば介護施設や乳幼児がいる部屋で当該マットを用いた場合は、失禁等があっても尿などがマットに染み込みにくいことから拭き取りやすく、衛生的である。
【００２５】
マットは、消臭剤を混練して形成することにより、抗菌作用だけでなく消臭効果も有する抗菌性マットを提供できる。よって、例えば介護施設や乳幼児がいる部屋で当該マットを用いた場合で失禁等があった場合、上記に述べたマットの防水効果により尿などが拭き取りやすいだけでなく、マットについた尿のにおいも除去することができる。
【００２６】
マットは、防水剤、消臭剤、抗菌剤をコーティングをすることにより、上記で述べたようなマットの防水効果や消臭効果や抗菌効果を一層高めることができる。
【図面の簡単な説明】
【００２７】
【図１】本考案の中央部形成用マット部材の斜視図である。
【図２】本考案の側部形成用マット部材の１つの形態を示す斜視図である。
【図３】本考案のマット体コーナー部を形成する側部形成用マット部材の２つの形態を示す斜視図である。
【図４】本考案の中央部形成用マット部材と側部形成用マット部材とを嵌合して抗菌性マットを形成した状態を示す平面図である。
【考案を実施するための形態】
【００２８】
本考案の抗菌性マットについて、以下図を参照しながら説明する。図１は、本考案の抗菌性マット１４を形成する中央部形成用マット部材の斜視図である。図２は、抗菌性マット１４の周部を形成する側部形成用マット部材８を示す斜視図である。図３は、側部形成用マット部材のうちマット体コーナー部を形成する側部形成用マット部材を示す斜視図であり、図中（a）は、一方のコーナー部を形成する側部形成用マット部材８１（a）を示す斜視図、図(b)は、側部形成用マット部材８１(a)と対になる側部形成用マット部材８１(b)を示す斜視図であり、マット部材８１(a)と(b)は対称に形成されている。図４は、本考案に係る中央部形成用マット部材１と各側部形成用マット部材８，８１を組み合わせた抗菌性マット１４の組み立て例を示す平面図である。
【００２９】
この抗菌性マット１４は、主として室内の床の一部や全部に敷設して用い、中央部形成用マット部材１、側部形成用マット部材８と側部形成用マット部材８１(a)(b)の各パーツを選択し、これらを組み合わせることで任意の面積の抗菌性マット１４を形成するようになっている。抗菌性マット１４は、抗菌剤が混練されてなる弾性のある合成樹脂材を平板マット状に形成し、抗菌性を持たせたものである。尚、抗菌性マット１４を合成樹脂材内方に微細な気泡部を有するスポンジ板状に形成すれば、これが緩衝材として機能し、乳幼児や老人等が抗菌性マット１４上で転倒した場合にも身体の打撲等を防ぐことができる。
【００３０】
図１に示す中央部形成用マット部材１は、抗菌剤が混練されてなる弾性合成樹脂材が平板マット状に形成されているものである。中央部形成用マット部材１は、略正方形状のマット部材本体７からなりマット部材本体７の周囲四側縁部には、他の中央部形成用マット部材１または他の側部形成用マット部材，８または８１に形成の凹凸嵌合部２と嵌合して連結される嵌合連結用凹部３と嵌合連結用凸部４とからなる凹凸嵌合部２が形成されている。
【００３１】
中央部形成用マット部材１の角側部を除く側縁部に形成される凹凸嵌合部２は、凹部底部３bが開口部３aより幅広に形成される嵌合連結用凹部３と凸部先端部４aが基部４bより幅広の嵌合連結用凸部４とからなり、嵌合連結用凹部３と嵌合連結用凸部４とが略等間隔で交互に形成されている。したがって、図４に示すように、隣り合うマット部材１，８または８１の対向する嵌合連結用凹部３と嵌合連結用凸部４とが楔状に嵌合連結され、嵌合連結した状態で水平方向に引き合ってもマット部材同士の連結状態が外れないようになっている。
【００３２】
また、中央部形成用マット部材１の角側部に形成される凹凸嵌合部２１は、嵌合連結用凹部３の一部形状を成す角側凹部５と、隣り合う角側部に形成される嵌合連結用凸部４の一部形状を成す角側凸部６からなり、角側凸部６の側部には、角側凹部５に向かって突出する山形の突出部６１が形成されている。この突出部６１は、角側凸部６の長さに対応する幅Jの底部を成す二等辺三角形状に形成され、図４に示すように、隣り合うマット部材１または８，８１の凹凸嵌合部２１と嵌合連結されるようになっている。
【００３３】
図２に示す側部形成用マット部材８は、マット体コーナー部以外の周縁部を形成するマット部材であり、抗菌剤が混練されてなる弾性合成樹脂材が平板マット状に形成されているものである。側部形成用マット部材８は、長手方向Ｌ１、短手方向Ｌ２の略長方形状のマット部材本体７１からなり、マット部材本体７１の角側部を除き、長手方向の一端側縁部１０には、凹部底部が開口部より幅広に形成される嵌合連結用凹部３と凸部先端部が基部より幅広の嵌合連結用凸部４とからなり、嵌合連結用凹部３と嵌合連結用凸部４が略等間隔に交互に形成されてなる嵌合連結用凹凸部２が形成され、短手方向の一端側縁部には嵌合連結用凹部３、他端側縁部には嵌合連結用凸部４が形成されている。したがって、図４に示すように、隣り合うマット部材１，８または８１の対向する嵌合連結用凹部３と嵌合連結用凸部４とは楔状に嵌合連結され、嵌合連結した状態で水平方向に引き合ってもマット部材同士の連結状態が外れないようになっている。
【００３４】
また、側部形成用マット部材本体７１の長手方向一端側の角側部または短手方向角側部に形成される凹凸嵌合部２１は、嵌合連結用凹部３の一部形状を成す角側凹部５と、隣り合う角側部に形成される嵌合連結用凸部４の一部形状を成す角側凸部６からなり、角側凸部６の側部には、角側凹部に向かって突出する山形の突出部６１が形成されている。この突出部６１は、角側凸部の長さに対応する幅Jの底部を成す二等辺三角形状に形成され、図４に示すように、隣り合うマット部材１，８または８１の凹凸嵌合部２１と嵌合連結されるようになっている。
【００３５】
また、側部形成用マット部材本体７１の長手方向他端側縁部１１すなわち連結状態において抗菌性マット１４の外周部を形成する側縁部にはその端部に向かって下傾する傾斜面９が形成されており、抗菌性マット１４の敷設状態において抗菌性マット１４の外周部はぴったりと床面に当接し、歩行者等が躓かないようになっている。尚、本実施の形態の側部形成用マット部材８において、傾斜面９は、短手方向の幅Ｌ２の１／７程度の幅で形成されているがその幅と角度はこれに限られるものではない。
【００３６】
図３に示すマット体コーナー部分を形成する一対の側部形成用マット部材８１(ａ)(b)は、マット体コーナー部を形成するマット部材であり、抗菌剤が混練されてなる弾性合成樹脂材が平板マット状に形成されているものである。一方のコーナーを形成する側部形成用マット部材８１(a)は、長手方向Ｌ１、短手方向Ｌ２の略長方形状のマット部材本体７２からなり、マット部材本体７２（ａ）の角側部を除く長手方向の一端側縁部１０には、凹部底部３bが開口部３aより幅広に形成される嵌合連結用凹部３と凸部先端部４aが基部４bより幅広の嵌合連結用凸部４とが略等間隔に交互に形成されてなる嵌合連結用凹凸部２が形成され、短手方向の一端側縁部には嵌合連結用凹部３、他端側縁部には嵌合連結用凸部４が形成されている。したがって、図４に示すように、隣り合うマット部材１，８または８１の対向する嵌合連結用凹部３と嵌合連結用凸部４とは楔状に嵌合連結され、嵌合連結した状態で水平方向に引き合ってもマット部材同士の連結状態が外れないようになっている。
【００３７】
前記側部形成用マット部材の長手方向一端側角側部または短手方向の一端側角側部に形成される凹凸嵌合部２１は、嵌合連結用凹部３の一部形状を成す角側凹部５と、隣り合う角側部に形成される嵌合連結用凸部４の一部形状を成す角側凸部６からなり、角側凸部６の側部には、角側凹部に向かって突出する山形の突出部６１が形成されている。この突出部６１は、角側凸部の長さに対応する幅Jの底部を成す二等辺三角形状に形成され、図４に示すように、隣り合うマット部材１，８または８１の凹凸嵌合部２１と嵌合連結されるようになっている。
【００３８】
側部形成用マット部材８１（ａ）の短手方向の他端側縁部１３(ａ)は長手方向頂部Ｐ１からマット体コーナー部分の終点頂部Ｐ２に向かい斜めに切り欠かれ角度閘を有する斜辺に形成されている。抗菌性マット１４においては、対になる側部形成用マット部材８１(ｂ)と嵌合連結したときに、マット体コーナー部分が直角を成すよう他端側縁部１３（ａ）の傾斜角は４５度である。
【００３９】
また、側部形成用マット部材本体７２(ａ)の長手方向他端側縁部１１すなわち連結状態において抗菌性マット１４の外周部を形成する側縁部にはその端部に向かって下傾する傾斜面９が形成されており、抗菌性マット１４の敷設状態において抗菌性マット１４の外周部はぴったりと床面に当接し、歩行者が躓かないようになっている
【００４０】
図３(ｂ)に示す、他方のコーナーを形成する側部形成用マット部材８１(ｂ)は、上述した、側部形成用マット部材８１(ａ)と嵌合連結されるように、側部形成用マット部材８１(ａ)と対称に形成されている。各部分の詳細な形状は、上述した側部形成用マット部材(ａ)と同様であるためその説明を省略する。
【００４１】
中央部形成用マット部材１、側部形成用マット部材８，８１（ａ）（ｂ）の上面すなわちマット敷接状態において歩行面を成す面に、格子状やその他形状の凹凸加工、粗面加工等を施しての滑り止め部１５を形成してもよい。
【００４２】
図４に示すように、抗菌性マット１４は中央部形成用マット部材１と側部形成用マット部材８と側部形成用マット部材８１（ａ）(ｂ)を組み合わせて任意の大きさに形成する。なお、中央部形成用マット部材１と側部形成用マット部材８と側部形成用マット部材８１(ａ)(ｂ)は、それぞれ対向する凹部３と凸部４と、またマット部材が十字状に合わさる角側部においては突出部６１とこれに対応する切り欠き部がそれぞれ嵌合されて連結されている。
【００４３】
尚、上述した抗菌性マット１４においては、凹部と凸部からなる嵌合連結部により各マット部材を連結する例を示したが、各マット部材の連結手段はこれに限られるものではなく、各マット部材に設けた連結孔に連結部材を架橋して連結するようにしてもよい。また、凹部と凸部の形状も上述した形状に限られるものではない。
【００４４】
本考案に係る抗菌性マットに用いられる好適な合成樹脂材は、弾性を有するＥＶＡ樹脂であり、このＥＶＡ樹脂に抗菌剤が混練されている。その製造過程を示せば、ＥＶＡ樹脂原料と粉体、粒体、または液体の抗菌剤を混練し、これを板状に伸ばしたものを型内で熱と圧力をかけ発泡成形してマットの原型を作る。さらに、この原型を抜型により抜くことで、中央部形成用マット部材１や側部形成用マット部材８，８１(ａ)（ｂ）を形成する。尚、成形型内表面に細かな凹凸を形成しておけば、この凹凸により滑り止め部１５が形成される。尚、合成樹脂材は、ＥＶＡ樹脂に限られるものではなく、ポリウレタン樹脂、ＰＥＴ樹脂等様々な樹脂が挙げられる。また、その成形方法も上述の発泡成形に限られるものではなく、たとえば、あらかじめスポンジ状に形成された合成樹脂材を裁断して形成してもよい。
【００４５】
また、抗菌剤の種類は様々なものが挙げられるが、主として抗菌剤は無機系抗菌剤又は有機系抗菌剤とに大別される。ここで無機系抗菌剤には、銀や銅などの金属イオンの、細菌の発育や増殖を抑制する作用である静菌作用を利用したものがあげられる。また、有機系抗菌剤としては、化学合成した有機化合物を利用した合成系抗菌剤と、天然物質を利用した天然系抗菌剤があげられる。前者の合成系抗菌剤にはエタノールや塩化ベンゼトニウムを利用した抗菌剤などがある。また、後者の天然系抗菌剤としては、アミノ酸誘導体を利用した抗菌剤や、黄色ブドウ球菌などに抗菌作用を有するユーカリの葉の抽出物や大腸菌などに抗菌作用を有するカニの殻を原料とするキトサンを利用した抗菌剤などがあげられる。マット部材に当該抗菌剤を使用して抗菌性マットを製造することで、細菌の増殖を抑制し、大腸菌や黄色ブドウ球菌や溶連菌などから発生する感染症防止などに役立つ衛生的な抗菌性マットを提供できる。また、有機系抗菌剤を混練した場合には、乳幼児が舐めたりした場合にも身体に害を与えるおそれがない。
【００４６】
また、抗菌性マット１４の表面または側面には、上述した抗菌剤、または消臭剤、さらには防水剤の溶液を塗布または吹き付けてコーティング加工を施してもよい。
【００４７】
このように形成されてなる抗菌性マット１４は、高い衛生状態を保つことができ、かつ、乳幼児や老人等の使用者がマット上を歩行または四つ足歩行した場合にも高い安全性を確保することができる。
【符号の説明】
【００４８】
１    中央部形成用マット部材
２    嵌合連結用凹凸嵌合部
２１  嵌合連結用凹凸嵌合部
３    嵌合連結用凹部
３a   開口部
３b   凹部底部
４    嵌合連結用凸部
４a   凸部先端部
４b   基部
５    角側凹部
６    角側凸部
６１  突出部
７    マット部材本体
７１  マット部材本体
７２  マット部材本体
８    側部形成用マット部材
８１  側部形成用マット部材
９    傾斜面
１０  長手方向一端部
１１  長手方向他端部
１３  斜辺
１４  抗菌性マット
１５  滑り止め部
【手続補正２】
【補正対象書類名】図面
【補正対象項目名】全図
【補正方法】変更
【補正の内容】
【図１】
0003168117.tif 000007
【図２】
0003168117.tif 000008
【図３】
0003168117.tif 000009
【図４】
0003168117.tif 000010